(57)【要約】【課題】通信端末にて通信の終了操作が行われた場合における切断処理を行う点に関し、改善する。【解決手段】本発明の中継装置１０は、アナログ通信端末とＩＰ通信端末との通信が行われている際に、アナログ通信端末及びＩＰ通信端末のうち、何れか一方にて何れか他方との通信を終了する操作が行われたか否かを検出する検出部１１と、検出部１１により、アナログ通信端末にてＩＰ通信端末との通信を終了する操作が行われた旨が検出された場合、ＩＰ通信端末に、その旨を通知する通知部１２と、を具備して構成される。【選択図】      図１
2015226141.tif 000002
【特許請求の範囲】
【請求項１】
アナログ通信端末とＩＰ通信端末との通信が行われている際に、前記アナログ通信端末及び前記ＩＰ通信端末の何れか一方にて何れか他方との通信を終了する操作が行われたか否かを検出する検出手段と、
前記検出手段により、前記アナログ通信端末及び前記ＩＰ通信端末のうち、何れか一方にて何れか他方との通信を終了する操作が検出された場合、何れか他方に、その旨を通知する通知手段と、を具備する、
ことを特徴とする中継装置。
【請求項２】
前記通知手段は、
前記検出手段により、前記アナログ通信端末にて前記ＩＰ通信端末との通信を終了する操作が検出された場合、前記ＩＰ通信端末に、その旨を通知する、
ことを特徴とする中継装置。
【請求項３】
前記通知手段は、
前記検出手段により、前記ＩＰ通信端末にて前記アナログ通信端末との通信を終了する操作が検出された場合、前記アナログ通信端末に、その旨を通知する、
ことを特徴とする請求項１又は２記載の中継装置。
【請求項４】
前記アナログ通信端末にて前記ＩＰ通信端末との通信を終了する操作が行われた際に、前記アナログ通信端末から送信される切断信号を受信する切断信号手段をさらに具備し、
前記検出手段は、
前記切断信号手段により前記切断信号を受信した場合には、前記アナログ通信端末にて前記ＩＰ通信端末との通信を終了する操作が行われた旨を検出する、
ことを特徴とする請求項１乃至３の何れか一項に記載の中継装置。
【請求項５】
前記ＩＰ通信端末にて前記アナログ通信端末との通信を終了する操作が行われた際に、前記ＩＰ通信端末から送信されるＲＴＰパケットを受信するＲＴＰパケット受信手段をさらに具備し、
前記検出手段は、
前記ＲＴＰパケット受信手段により前記ＲＴＰパケットを受信した場合には、前記ＩＰ通信端末にて前記アナログ通信端末との通信を終了する操作が行われた旨を検出する、
ことを特徴とする請求項１乃至４の何れか一項に記載の中継装置。
【請求項６】
前記通知手段は、
前記検出手段により、前記アナログ通信端末にて前記ＩＰ通信端末との通信を終了する操作が検出された場合、前記ＩＰ通信端末にその旨を通知する際に、ビジートーン信号を用いて通知する、
ことを特徴とする請求項１乃至５の何れか一項に記載の中継装置。
【請求項７】
再起動を行う再起動手段をさらに具備し、
前記再起動手段は、
前記通知手段により、前記アナログ通信端末及び前記ＩＰ通信端末の間で通信を終了する操作が行われた旨を通知した後に、再起動を行うこと、
を特徴とする請求項１乃至６の何れか一項に記載の中継装置。
【請求項８】
請求項１乃至７の何れか一項に記載の中継装置と、
前記中継装置を介して互いに通信可能なアナログ通信端末及びＩＰ通信端末と、を具備する、
ことを特徴とする回線交換システム。
【請求項９】
アナログ通信端末とＩＰ通信端末との通信が行われている際に、前記アナログ通信端末及び前記ＩＰ通信端末のうち、何れか一方にて何れか他方との通信を終了する操作が行われたか否かを検出し、
前記アナログ通信端末及び前記ＩＰ通信端末のうち、何れか一方にて何れか他方との通信を終了する操作が行われた旨が検出された場合、何れか他方に、その旨を通知する、
ことを特徴とする回線交換方法。
【発明の詳細な説明】
【技術分野】
【０００１】
本発明は、中継装置、回線交換システム及び回線交換方法に関し、特に、アナログ通信端末とＩＰ通信端末との通信が可能な中継装置、回線交換システム及び回線方法に関する。なお、「ＩＰ」とは、「Ｉｎｔｅｒｎｅｔ  Ｐｒｏｔｏｃｏｌ」の略である。
【背景技術】
【０００２】
中継装置、回線交換システム及び回線交換方法に関し、ＬＡＮインタフェース及びアナログ公衆網インタフェースを具備し、アナログ通信端末とＩＰ通信端末との通信を可能にしているものが、一般的に知られている。なお、「ＬＡＮ」とは、「Ｌｏｃａｌ  Ａｒｅａ  Ｎｅｔｗｏｒｋ」の略である。
【０００３】
ここで、アナログ通信端末とＩＰ通信端末との通信を可能にする中継装置等に通信障害が発生した際に、通信端末にて通信の終了操作が行われた場合、相手方の通信端末にて通信の終了操作が行われた旨を把握させたいという所望がある。
【０００４】
そこで、例えば、特許文献１には、中継装置、その制御プログラム、通信方法が開示されている。この特許文献１は、ＲＴＰ通信の呼接続中に、通信先側の中継装置、ネットワーク機器等に障害が発生した場合でも、呼の持ち切りを回避している。具体的には、特許文献１は、ＲＴＰパケットを受信していない状態が、所定時間以上経過した場合には、切断処理を行う旨が開示されている。なお、「ＲＴＰ」とは、「Ｒｅａｌ−ｔｉｍｅ  Ｔｒａｎｓｐｏｒｔ  Ｐｒｏｔｏｃｏｌ」の略である。
【先行技術文献】
【特許文献】
【０００５】
【特許文献１】特開２００３−１２４９６７号公報
【発明の概要】
【発明が解決しようとする課題】
【０００６】
ところで、上記特許文献１は、ＲＴＰパケットを受信していない時間が、所定時間を経過した場合には、切断処理を行っている。しかしながら、上記特許文献１では、アナログ通信端末にて通信の終了操作が行われた場合については切断処理を行えるか否かが定かではない。なぜなら、ＲＴＰパケットは、あくまで、ＩＰ通信端末から送出されるものであって、アナログ通信端末から送出されるものではないからである。
【０００７】
したがって、上記特許文献１では、ＩＰ通信端末とアナログ通信端末との通信中において、先にアナログ通信端末がオンフックした場合、ＩＰ通信端末側が通信の終了を判断できない可能性がある。
【０００８】
また、上記特許文献１では、ＲＴＰパケットを受信していない時間が、所定時間を経過した場合には、切断処理を行っているが、アナログ通信端末に、その旨を通知しているか否かが定かではない。
【０００９】
したがって、上記特許文献１では、アナログ通信端末網では、アナログ通信端末にてオンフックが行われるまでは、通信が終了した旨を把握できない可能性がある。これにより、上記特許文献１では、ＩＰ通信端末にて既にオンフックされているにも係らず、アナログ通信端末にてオンフックが行われるまでは、通信料金の課金を停止できない可能性がある。
【００１０】
すなわち、上記特許文献１では、中継装置等に通信障害が発生した際に、相手方の通信端末にて通信の終了操作が行われた旨を把握する点に関し、改善の余地がある。
【００１１】
そこで、本発明の目的は、相手方の通信端末にて通信の終了操作が行われた旨を把握することが可能な中継装置、回線交換システム及び回線交換方法を提供することにある。
【課題を解決するための手段】
【００１２】
上記目的を達成するために、本発明の中継装置は、アナログ通信端末とＩＰ通信端末との通信が行われている際に、上記アナログ通信端末及び上記ＩＰ通信端末の何れか一方にて何れか他方との通信を終了する操作が行われたか否かを検出する検出手段と、上記検出手段により、上記アナログ通信端末及び上記ＩＰ通信端末のうち、何れか一方にて何れか他方との通信を終了する操作が検出された場合、何れか他方に、その旨を通知する通知手段と、を具備して構成される。
【００１３】
上記目的を達成するために、本発明の回線交換システムは、上記中継装置と、上記中継装置を介して互いに通信可能なアナログ通信端末及びＩＰ通信端末と、を具備して構成される。
【００１４】
上記目的を達成するために、本発明の回線交換方法は、アナログ通信端末とＩＰ通信端末との通信が行われている際に、上記アナログ通信端末及び上記ＩＰ通信端末のうち、何れか一方にて何れか他方との通信を終了する操作が行われたか否かを検出し、上記アナログ通信端末及び上記ＩＰ通信端末のうち、何れか一方にて何れか他方との通信を終了する操作が行われた旨が検出された場合、何れか他方に、その旨を通知している。
【発明の効果】
【００１５】
本発明によれば、相手方の通信端末にて通信の終了操作が行われた旨を把握することができる。
【図面の簡単な説明】
【００１６】
【図１】本発明の一実施形態（第１の実施形態）に係る中継装置、この中継装置を具備する回線交換システムの構成を示すシステム構成図である。
【図２】本発明の他の実施形態（第２の実施形態）に係る中継装置、この中継装置を具備する回線交換システムの構成を示すシステム構成図である。
【図３】本発明の他の実施形態（第２の実施形態）に係る中継装置の構成を示す構成図である。
【図４】本発明の他の実施形態（第２の実施形態）に係る中継装置の電源投入処理のフローチャートである。
【図５】本発明の他の実施形態（第２の実施形態）に係る中継装置の起動・設定処理のフローチャートである。
【図６】本発明の他の実施形態（第２の実施形態）に係るＲＴＰ受信監視処理のフローチャートである。
【図７】本発明の他の実施形態（第２の実施形態）に係る切断信号受信監視処理のフローチャートである。
【図８】本発明の他の実施形態（第２の実施形態）に係る切断信号送信処理のフローチャートである。
【図９】本発明の他の実施形態（第２の実施形態）に係る再起動処理のフローチャートである。
【図１０】本発明の他の実施形態（第２の実施形態）に係る回線交換処理におけるシーケンスの一例を示す図である。
【図１１】本発明の他の実施形態（第２の実施形態）に係る回線交換処理におけるシーケンスの他例を示す図である。
【発明を実施するための形態】
【００１７】
以下、図面を用いて、本発明の実施形態について説明する。
【００１８】
（第１の実施形態）
図１を用いて、本発明の一実施形態（第１の実施形態）について説明する。図１は、本実施形態（第１の実施形態）に係る中継装置１０、この中継装置１０を具備する回線交換システムの構成を示すシステム構成図である。
【００１９】
図１に例示されるように、本実施形態の中継装置１０は、検出部（検出手段）１１及び通知部（第１の通知手段又は第２の通知手段）１２を具備している。この検出部１１は、アナログ通信端末とＩＰ通信端末との通信が行われている際に、アナログ通信端末及びＩＰ通信端末のうち、何れか一方にて何れか他方との通信を終了する操作が行われたか否かを検出している。
【００２０】
また、中継装置１０の通知部１２は、検出部１１により、アナログ通信端末にてＩＰ通信端末との通信を終了する操作が行われた旨が検出された場合、ＩＰ通信端末に、その旨を通知している。
【００２１】
したがって、本実施形態によれば、アナログ通信端末とＩＰ通信端末との通信が行われている際に、アナログ通信端末にて先にオンフックした場合であっても、ＩＰ通信端末側で、その旨を把握することが可能になるといえる。
【００２２】
よって、本実施形態によれば、先にアナログ通信端末にてＩＰ通信端末との通信の終了操作が行われた場合に、より確実に切断処理を行うことができる。
【００２３】
また、本実施形態では、通知部１２は、検出部１１により、ＩＰ通信端末にてアナログ通信端末との通信を終了する操作が行われた旨が検出された場合、アナログ通信端末に、その旨を通知している。
【００２４】
したがって、本実施形態によれば、アナログ通信端末とＩＰ通信端末との通信が行われている際に、ＩＰ通信端末にて先にオンフックした場合であっても、アナログ通信端末側で、その旨を把握することが可能になるといえる。
【００２５】
よって、本実施形態によれば、先にＩＰ通信端末にてアナログ通信端末との切断の終了操作が行われた場合に、より確実に切断処理を行うことができる。これにより、不要な課金状態を抑制することが可能になる。
【００２６】
（第２の実施形態）
図２乃至図１１を用いて、本発明の他の実施形態（第２の実施形態）について説明する。まず、図２を用いて、本実施形態（第２の実施形態）に係る中継装置１１０を具備する回線交換システムの構成について説明する。図２は、本実施形態（第２の実施形態）に係る中継装置１１０、この中継装置１１０を具備する回線交換システムの構成を示すシステム構成図である。
【００２７】
（システム構成）
図２に例示されるように、本実施形態の回線交換システムは、アナログ局線１０２とＬＡＮ回線１０４との間に中継装置１１０を具備している。また、回線交換システムは、アナログ局線１０２上にアナログ通信端末１０１及びアナログ公衆網１０３を具備している。
【００２８】
したがって、本実施形態の回線交換システムでは、アナログ局線１０２を介して中継装置１１０にアナログ通信端末１０１及びアナログ公衆網１０３が接続されているといえる。なお、これらアナログ通信端末１０１、アナログ局線１０２及びアナログ公衆網１０３については、周知の技術であるため、その説明を省略する。
【００２９】
また、回線交換システムは、ＬＡＮ回線１０４上にＨＵＢ１０５、テレフォニーサーバ１０６及びＩＰ通信端末１０７を具備している。したがって、本実施形態の回線交換システムは、ＬＡＮ回線１０４を介して中継装置１１０にＨＵＢ１０５、テレフォニーサーバ１０６及びＩＰ通信端末１０７が接続されているといえる。なお、これらＨＵＢ１０５、テレフォニーサーバ１０６及びＩＰ通信端末１０７についても、周知の技術であるため、その説明を省略する。
【００３０】
また、本実施形態において、ＩＰ通信端末１０７は、１台しか図示していないが、この１台に限定されるものではなく、複数のＩＰ通信端末１０７を具備している。
【００３１】
本実施形態において、中継装置１１０は、主に、アナログ局線１０２とＬＡＮ回線１０４との間に接続され、アナログ信号とデジタル信号とを相互に変換するする役目を果たしているが、主たる特徴点としては、以下の点が挙げられる。
【００３２】
中継装置１１０は、アナログ通信端末１０１とＩＰ通信端末１０７との通信中に、接続障害が生じた場合において、先にアナログ通信端末１０１がオンフックした場合に、アナログ通信端末１０１から切断信号を受信している。
【００３３】
また、中継装置１１０は、先にＩＰ通信端末１０７がオンフックした場合には、アナログ通信端末１０１に切断信号を通知している。なお、この中継装置１１０の具体的な構成についは、図３を用いて後述する。
【００３４】
（中継装置１１０の構成）
次に、図３を用いて、本実施形態（第２の実施形態）に係る中継装置１１０の構成について説明する。図３は、本実施形態（第２の実施形態）に係る中継装置１１０の構成を示す構成図である。
【００３５】
図３に例示されるように、本実施形態の中継装置１１０は、ＬＡＮインタフェース回路１１１、アナログ公衆網インタフェース回路１１３、制御部１２０及び記憶部１３０を具備している。
【００３６】
なお、ＬＡＮインタフェース回路１１１、アナログ公衆網インタフェース回路１１３及び記憶部１３０については、周知の技術であるため、簡易的な説明に留め、具体的な説明を省略する。
【００３７】
また、中継装置１１０は、上述の構成の他に、アナログ通信端末１０１とＩＰ通信端末１０７との通信を行う際に、アナログ信号とデジタル信号とを相互に変換するために、例えば、ＤＳＰ、バッファ等を具備している。なお、これらＤＳＰ、バッファ等は、周知であるので、簡易的な説明に留め、具体的な説明を省略する。なお、ＤＳＰとは「Ｄｉｇｉｔａｌ  Ｓｉｇｎａｌ  Ｐｒｏｃｅｓｓｏｒ」の略である。
【００３８】
中継装置１１０のＬＡＮインタフェース回路１１１は、主に、ＬＡＮ（ＩＰ網）であるＨＵＢ１０５、テレフォニーサーバ１０６、ＩＰ通信端末１０７との通信を行う役目を果たしている。
【００３９】
また、中継装置１１０のアナログ公衆網インタフェース回路１１３は、主に、アナログ通信端末１０１、アナログ公衆網１０３との通信を行う役目を果たしている。すなわち、中継装置１１０は、アナログ公衆網１０３にて用いるアナログ信号と、ＬＡＮ（ＩＰ網）で用いるデジタル信号と、を相互に変換することを可能にしている。
【００４０】
また、中継装置１１０の記憶部１３０は、各種制御プログラムや各種データ等を記憶する役目を果たしている。そして、制御部１２０は、各種制御プログラムに従って、動作することが可能になる。
【００４１】
また、中継装置１１０のバッファは、主に、各種データを一時的に溜めておく役目を果たしている。また、中継装置１１０のＤＳＰは、受信データのデコード処理等のデジタル信号処理を行う役目を果たしている。
【００４２】
なお、ＤＳＰでは、音声や画像信号等のアナログ信号を「０」、「１」の電気信号にコード化（ディジタル化）して実時間処理する専用プロセッサで論理回路とメモリ回路を持ち、積和演算等を高速に処理することができる。
【００４３】
本実施形態において、中継装置１１０の制御部１２０では、ＲＴＰ受信監視処理、切断信号受信監視処理、切断信号送信処理、再起動処理が行われている。なお、この制御部１２０では、ＲＴＰ受信監視処理、切断信号受信監視処理、切断信号送信処理、再起動処理の他に、音声通信処理等の処理を行われているが、音声通信処理等の処理については、周知であるので、簡易的な説明に留め、具体的な説明を省略する。
【００４４】
音声通信処理は、ＩＰ、ＵＤＰ、ＲＴＰパケットの解析を行う。なお、「ＵＤＰ」とは、「Ｕｓｅｒ  Ｄａｔａｇｒａｍ  Ｐｒｏｔｏｃｏｌ」の略である。
【００４５】
この音声通信処理の一例を示すと、音声データからＲＴＰパケットを解析すると、バッファにＲＴＰパケットを一時的に溜める。そして、バッファに一時的に溜めたＲＴＰパケットは、一定周期毎にＤＳＰに取り込まれ、ＤＳＰにてデコード処理が行われる。これにより、アナログ公衆網インタフェース回路１１３を介してアナログ音声に再生され、アナログ通信端末１０１にて音声を聞き取れるようになる。
【００４６】
本実施形態において、ＲＴＰ受信監視処理は、ＩＰ通信端末１０７との通信に際し、ＩＰ通信端末１０７からＲＴＰパケットを受信しているか否かを監視する役目を果たしている。したがって、中継装置１１０では、ＩＰ通信端末１０７と通信しているか否かを把握していることがいえる。なお、このＲＴＰ受信監視処理の具体的な説明については、図６を用いて後述する。
【００４７】
また、切断信号受信監視処理は、アナログ公衆網１０３から切断信号を受信したか否かを検出する役目を果たしている。したがって、中継装置１１０では、アナログ通信端末１０１と通信しているか否かを把握していることがいえる。なお、この切断信号受信監視処理の具体的な説明については、図７を用いて後述する。
【００４８】
また、切断信号送信処理は、ＲＴＰ受信監視処理にてＲＴＰパケットを受信していない状態を監視した場合、アナログ公衆網１０３に対し切断信号を送信する役目を果たしている。したがって、アナログ公衆網１０３では、ＩＰ通信端末１０７との通信が終了した旨を把握していることがいえる。なお、切断信号送信処理の具体的な説明については、図８を用いて後述する。
【００４９】
また、再起動処理は、ＲＴＰ受信監視処理にてＲＴＰパケットを受信していない状態を検出するか、或いは、切断信号受信監視処理にて切断信号を受信していない状態を検出した場合には、中継装置１１０の再起動を行う役目を果たしている。
【００５０】
したがって、中継装置１１０では、アナログ通信端末１０１とＩＰ通信端末１０７との通信中に、接続障害が生じた場合であっても、通信が終了するまでは、中継装置１１０の再起動を行わず、利用者の利便性を図ることが可能になるといえる。
【００５１】
また、再起動処理は、ＲＴＰ受信監視処理にてＲＴＰパケットを受信していない状態を検出するか、或いは、切断信号受信監視処理にて切断信号を受信していない状態を検出した場合には、ビジートーン信号を送出する役目を果たしている。したがって、アナログ通信端末１０１又はＩＰ通信端末１０７では、通信先にて通信の終了操作が行われた旨を把握することが可能になるといえる。なお、この再起動処理の具体的な説明については、図９を用いて後述する。
【００５２】
（電源投入処理）
図４を用いて、本実施形態（第２の実施形態）に係る中継装置１１０の電源投入処理について説明する。図４は、本実施形態（第２の実施形態）に係る中継装置１１０の電源投入処理のフローチャートである。この電源投入処理は、中継装置１１０の電源のＯＮ時、又は障害が発生した後の再起動時等に実行する。
【００５３】
ステップＳ１００において、中継装置１１０は、制御ボード起動処理を行う。具体的には、この処理において、中継装置１１０は、電源が投入されると、制御ボードに搭載されている制御部１２０を起動する。したがって、以下の処理は、制御部１２０により実行される。
【００５４】
ステップＳ２００において、制御部１２０は、設定テーブル読み込み処理を行う。具体的には、この処理において、制御部１２０は、記憶部１３０に格納された各種制御プログラム、各種データ等を読み込む処理を行う。これにより、制御部１２０は、各種制御プログラムに従って、動作することが可能になる。
【００５５】
ステップＳ３００において、制御部１２０は、起動・設定処理を行う。なお、この起動・設定処理については、図５を用いて後述する。
【００５６】
ステップＳ４００において、制御部１２０は、上記ステップＳ３００にて起動・設定処理が行われ、運用できる状態となると、パケット中継処理の運用を開始する。その後、無限ループを行い、待機状態とする。なお、ここで、電源投入処理を終了させず、待機状態としているのは、接続障害が生じた際におけるバックアップ等を可能にするためである。
【００５７】
（起動・設定処理）
図５を用いて、本実施形態（第２の実施形態）に係る中継装置１１０の起動・設定処理について説明する。図５は、本実施形態（第２の実施形態）に係る中継装置１１０の起動・設定処理のフローチャートである。
【００５８】
ステップＳ３１０において、制御部１２０は、ＲＴＰ受信監視部を起動させるべく、ＲＴＰ受信監視部起動処理を行う。この処理において、制御部１２０は、ＲＴＰ受信監視部を起動させると、この起動を契機に、ＲＴＰ受信監視処理を行う。なお、このＲＴＰ受信監視処理については、図６を用いて後述する。
【００５９】
ステップＳ３２０において、制御部１２０は、切断信号受信監視部を起動させるべく、切断信号受信監視部起動処理を行う。この処理において、制御部１２０は、切断信号受信監視部を起動させると、この起動を契機に、切断信号受信監視処理を行う。なお、この切断信号受信監視処理については、図７を用いて後述する。
【００６０】
ステップＳ３３０において、制御部１２０は、再起動部を起動させるべく、再起動部起動処理を行う。この処理において、制御部１２０は、再起動部を起動させると、この起動を契機に、再起動部起動処理を行う。なお、この再起動部起動処理については、図９を用いて後述する。
【００６１】
（ＲＴＰ受信監視処理）
図６を用いて、本実施形態（第２の実施形態）に係る中継装置１１０におけるＲＴＰ受信監視処理について説明する。図６は、本実施形態（第２の実施形態）に係る中継装置１１０におけるＲＴＰ受信監視処理のフローチャートである。具体的には、起動・設定処理におけるステップＳ３１０のサブルーチンを示している。
【００６２】
ステップＳ３１１において、制御部１２０は、アナログ通信端末１０１とＩＰ通信端末１０７とでＲＴＰ通信が行われているか否かを判定する。具体的には、この処理において、制御部１２０は、アナログ通信端末１０１とＩＰ通信端末１０７との間で通信が行われているか否かを判定している。
【００６３】
この処理において、制御部１２０は、アナログ通信端末１０１とＩＰ通信端末１０７とでＲＴＰ通信が行われていると判定した場合には、ステップＳ３１２に処理を移す。一方、この処理において、制御部１２０は、アナログ通信端末１０１とＩＰ通信端末１０７とでＲＴＰ通信が行われていないと判定した場合には、ステップＳ３１３に処理を移す。
【００６４】
ステップＳ３１２において、制御部１２０は、ＲＴＰパケット受信タイマカウンタのカウンタ値（Ｔ１）をリセットする。具体的には、この処理において、制御部１２０は、ＲＴＰパケット受信タイマカウンタフラグをＯＦＦにする。そして、制御部１２０は、今回のＲＴＰ受信監視処理を終了する。
【００６５】
ステップＳ３１３において、制御部１２０は、ＲＴＰパケット受信タイマカウンタがセットされているか否かを判定する。具体的には、この処理において、制御部１２０は、ＲＴＰパケット受信タイマカウンタフラグがＯＮであるか否かを判定する。
【００６６】
この処理において、制御部１２０は、ＲＴＰパケット受信タイマカウンタがセットされている、すなわち、ＲＴＰパケット受信タイマカウンタフラグがＯＮであると判定した場合には、ステップＳ３１４に処理を移す。
【００６７】
一方、この処理において、制御部１２０は、ＲＴＰパケット受信タイマカウンタがセットされていない、すなわち、ＲＴＰパケット受信タイマカウンタフラグがＯＦＦであると判定した場合には、ステップＳ３１５に処理を移す。
【００６８】
ステップＳ３１４において、制御部１２０は、ＲＴＰパケット受信タイマカウンタを更新する。したがって、制御部１２０は、ＲＴＰ通信が行われていないと判定され、ＲＴＰパケット受信タイマカウンタがセットされていると判定された場合には、ＲＴＰパケット受信タイマカウンタを更新しているといえる。具体的には、この処理において、制御部１２０は、ＲＴＰパケット受信タイマカウンタにセットされているカウンタ値（Ｔ１）から「１」を減算する。
【００６９】
ステップＳ３１５において、制御部１２０は、ＲＴＰパケット受信タイマカウンタに所定のカウンタ値（Ｔ１）をセットする。なお、この所定のカウンタ値（Ｔ１）については、適宜、設定可能である。
【００７０】
ステップＳ３１６において、制御部１２０は、上記ステップＳ３１４にて更新したカウンタ値（Ｔ１）が「０」であるか否か、すなわち、タイムアウトしたか否かを判定する。
【００７１】
この処理において、制御部１２０は、カウンタ値（Ｔ１）が「０」である、すなわち、タイムアウトしたと判定した場合には、ステップＳ３１７に処理を移す。一方、この処理において、制御部１２０は、カウンタ値（Ｔ１）が「０」でない、すなわち、タイムアウトしていないと判定した場合には、今回のＲＴＰ受信監視処理を終了する。
【００７２】
ステップＳ３１８において、制御部１２０は、切断信号送信処理を行う。この処理において、制御部１２０は、ＲＴＰパケットを受信していない状態が所定時間を経過した場合には、アナログ通信端末１０１に切断信号を送信する。なお、この切断信号送信処理の具体的な説明については、図８を用いて後述する。
【００７３】
ステップＳ３１８において、制御部１２０は、再起動処理にＲＴＰパケット未受信を通知する。具体的には、この処理において、制御部１２０は、ＲＴＰパケット未受信を通知すべくバッファにＲＴＰパケット未受信情報をセットする。
【００７４】
なお、本実施形態では、制御部１２０は、ＲＴＰパケット受信タイマカウンタに所定のカウンタ値（Ｔ１）をセットし、このカウンタ値（Ｔ１）を減算しているが、これに限定されない。
【００７５】
一例を示すと、ＲＴＰパケット受信タイマカウンタにカウンタ値（Ｔ１）として、「０」をセットし、このカウンタ値（Ｔ１）に「１」を加算しても良い。この場合、所定の閾値を予め設定しておき、カウンタ値（Ｔ１）が所定の閾値に到達したか否を判定すると良い。
【００７６】
このように、本実施形態では、ＲＴＰパケットの受信状況を監視している。これにより、本実施形態では、一定時間以上、ＲＴＰパケットを受信できない場合には、自立的に切断を実行しているので、アナログ通信端末１０１にて通信の終了を把握することが可能になる。
【００７７】
（切断信号受信監視処理）
図７を用いて、切断信号受信監視処理について説明する。図７は、本実施形態（第２の実施形態）に係る中継装置１１０の切断信号受信監視処理のフローチャートである。
【００７８】
ステップＳ３２１において、制御部１２０は、切断信号を受信しているか否かを判定する。この処理において、制御部１２０は、切断信号を受信していると判定した場合には、ステップＳ３２３に処理を移す。一方、この処理において、制御部１２０は、切断信号を受信していないと判定した場合には、ステップＳ３２２に処理を移す。
【００７９】
ステップＳ３２２において、制御部１２０は、切断信号受信タイマカウンタのカウンタ値（Ｔ２）をリセットする。具体的には、この処理において、制御部１２０は、切断信号受信タイマカウンタフラグをＯＦＦにする。そして、制御部１２０は、今回の切断信号受信監視処理を終了する。
【００８０】
ステップＳ３２３において、制御部１２０は、切断信号受信タイマカウンタがセットされているか否かを判定する。具体的には、この処理において、制御部１２０は、切断信号受信タイマカウンタフラグがＯＮであるか否かを判定する。
【００８１】
この処理において、制御部１２０は、切断信号受信タイマカウンタがセットされている、すなわち、切断信号受信タイマカウンタフラグがＯＮであると判定した場合には、ステップＳ３２４に処理を移す。
【００８２】
一方、この処理において、制御部１２０は、切断信号受信タイマカウンタがセットされていない、すなわち、切断信号受信タイマカウンタフラグがＯＦＦであると判定した場合には、ステップＳ３２５に処理を移す。
【００８３】
ステップＳ３２４において、制御部１２０は、切断信号受信タイマカウンタを更新する。したがって、制御部１２０は、上記ステップＳ３２３にて切断信号受信タイマカウンタがセットされていると判定された場合には、切断信号受信タイマカウンタをセットしているといえる。具体的には、この処理において、制御部１２０は、切断信号受信タイマカウンタにセットされているカウンタ値（Ｔ２）から「１」を減算する。
【００８４】
ステップＳ３２５において、制御部１２０は、切断信号受信タイマカウンタをセットする。具体的には、この処理において、制御部１２０は、切断信号受信タイマカウンタに所定のカウンタ値（Ｔ２）をセットする。なお、この所定のカウンタ値（Ｔ２）については、適宜、設定可能である。
【００８５】
ステップＳ３２６において、制御部１２０は、切断信号受信タイマカウンタのカウンタ値（Ｔ２）が「０」となったか否かを判定する。すなわち、この処理において、制御部１２０は、切断信号を受信してから所定時間が経過したか否かを判定している。
【００８６】
この処理において、制御部１２０は、切断信号受信タイマカウンタのカウンタ値（Ｔ２）が「０」であると判定した場合には、ステップＳ３２７に処理を移す。一方、この処理において、中継装置は、切断信号受信タイマカウンタのカウンタ値（Ｔ２）が「０」ではないと判定した場合には、今回の切断信号受信監視処理を終了する。
【００８７】
ステップＳ３２７において、制御部１２０は、再起動処理に切断信号を通知する。具体的には、この処理において、制御部１２０は、再起動処理に切断信号を通知すべく、バッファに切断信号をセットする。
【００８８】
（切断信号送信処理）
図８を用いて、切断信号送信処理について説明する。図８は、本実施形態（第２の実施形態）に係る中継装置１１０の切断信号送信処理のフローチャートである。
【００８９】
ステップＳ３１７−１において、制御部１２０は、切断信号を送信する。具体的には、この処理において、制御部１２０は、上記ステップＳ３１６にてＲＴＰパケット受信タイマカウンタのカウンタ値（Ｔ１）が「０」であると判定した場合、すなわち、タイムアウトであると判定した場合、アナログ通信端末１０１に切断信号を送信する。
【００９０】
（再起動処理）
図９を用いて、再起動処理について説明する。図９は、本実施形態（第２の実施形態）に係る中継装置１１０の再起動処理のフローチャートである。
【００９１】
ステップＳ３３１において、制御部１２０は、ＲＴＰパケット未受信の通知の有無を判定する。具体的には、この処理において、制御部１２０は、上記ステップＳ３１８にてＲＴＰパケット未受信の通知が行われたか否かを判定している。
【００９２】
この処理において、制御部１２０は、ＲＴＰパケット未受信の通知が有ると判定した場合には、ステップＳ３３３に処理を移す。一方、この処理において、制御部１２０は、ＲＴＰパケット未受信の通知が無いと判定した場合には、ステップＳ３３２に処理を移す。
【００９３】
ステップＳ３３２において、制御部１２０は、切断信号の通知の有無を判定する。具体的には、この処理において、制御部１２０は、上記ステップＳ３２７にて切断信号の通知が行われたか否かを判定している。
【００９４】
この処理において、制御部１２０は、切断信号が有ると判定した場合には、ステップＳ３３３に処理を移す。一方、この処理において、制御部１２０は、切断信号の通知が無いと判定した場合には、今回の再起動処理を終了する。
【００９５】
したがって、本実施形態において、制御部１２０は、ＲＴＰパケット未受信通知が無い場合、切断信号の通知が無い場合には、再起動を行わず、この再起動処理を終了する。
【００９６】
ステップＳ３３３において、中継装置は、上記ステップＳ３３１にてＲＴＰパケット未受信通知が有ると判定した場合、上記ステップＳ３３２にて切断信号の通知が有ると判定した場合には、ビジートーン送出処理を行う。
【００９７】
すなわち、本実施形態において、中継装置は、ＲＴＰパケット未受信通知が有る場合、又は切断信号の通知が有ると判定した場合には、ＩＰ通信端末又はアナログ通信端末にてオンフックされたと判定し、ビジートーンを送出する処理を行う。
【００９８】
ステップＳ３３４において、中継装置は、再起動処理を実行する。したがって、本実施形態において、中継装置は、ＩＰ通信端末又はアナログ通信端末の何れかにてオンフックされた場合に、再起動処理を実行しているといえる。
【００９９】
（回線交換システムの一例）
図１０を用いて、回線交換システムの一例を説明する。図１０は、本実施形態（第２の実施形態）に係る回線交換システムの一例を示すシーケンスである。なお、図１０では、アナログ通信端末１０１とＩＰ通信端末１０７との通信中に、ＩＰ通信端末１０７にて先にオンフックされた場合を例示している。
【０１００】
また、本実施形態では、アナログ通信端末１０１とＩＰ通信端末１０７との通信中に、中継装置１１０に接続障害が生じた場合における各処理を主たる特徴にしている。
【０１０１】
したがって、本実施形態では、アナログ通信端末１０１とＩＰ通信端末１０７との通信が行われるまでは周知であるため、簡易的な説明に留め、詳細な説明を省略する。
【０１０２】
まず、発信側の通信端末（ここでは、アナログ通信端末１０１とする。）にてダイヤルされた場合、テレフォニーサーバ１０６は、中継装置１１０にて変換されたダイヤル信号を受信する。
【０１０３】
そして、テレフォニーサーバ１０６は、受信したダイヤルに対応したＩＰアドレスを調べて、このＩＰアドレスが設定されている着信側の通信端末（ここでは、ＩＰ通信端末１０７とする。）に、セットアップ・メッセージを送信する。
【０１０４】
このとき、テレフォニーサーバ１０６は、中継装置１１０にアラート・メッセージを送信する。そして、中継装置１１０は、アラート・メッセージを受信すると、アナログ通信端末１０１に呼待ち信号を出力する。
【０１０５】
次に、テレフォニーサーバ１０６がＩＰ通信端末１０７にて送信されたオフフック信号を受信すると、中継装置１１０にコネクト・メッセージを送信する。これにより、メディアチャンネルがオープンされ、中継装置１１０を介してＲＴＰ通信が確立し、アナログ通信端末１０１とＩＰ通信端末１０７との間で通信が可能になる。
【０１０６】
ここで、通常、ＲＴＰ通信中に、例えば、アナログ通信端末１０１にて通信を終了する操作が行われると、中継装置１１０は、オンフック信号を受信し、テレフォニーサーバ１０６にリリースコンプリート・メッセージを送信する。
【０１０７】
テレフォニーサーバ１０６は、リリースコンプリート・メッセージを受信すると、ＩＰ通信端末１０７にビジートーン信号を出力する。その後、ＩＰ通信端末１０７にて通信を終了する操作が行われると、オンフック信号を受信し、中継装置１１０にリリースコンプリート・メッセージを返す。これにより、アナログ通信端末１０１とＩＰ通信端末１０７との間で通信を終了する。
【０１０８】
ここで、本実施形態では、ＲＴＰ通信中に、中継装置１１０とテレフォニーサーバ１０６との間でネットワーク障害が生じた場合、
本実施形態では、ステップＳ８１０において、ＩＰ通信端末１０７が先にオンフックした場合、ＩＰ通信端末１０７にて中継装置１１０へのＲＴＰパケットの送信を停止する。
【０１０９】
ステップＳ８２０において、中継装置１１０は、上記ステップＳ８１０にてＲＴＰパケットの送信を停止した旨を、ＲＴＰパケット未受信として検出する。これにより、アナログ通信端末１０１とＩＰ通信端末１０７との通信を終了していると扱う。
【０１１０】
そして、中継装置１１０は、アナログ公衆網１０３に切断信号を送信する。これに伴い、アナログ公衆網１０３は、アナログ通信端末１０１に切断信号としてビジートーン信号を送出する。
【０１１１】
ステップＳ８３０において、中継装置１１０は、アナログ公衆網１０３に切断信号を送信した後に、再起動を行う。ここで、中継装置１１０は、接続障害が生じた際に、即座に再起動を行うと、再起動に要する間、利用者へのサービス提供を停止させてしまう可能性がある。
【０１１２】
これに対し、本実施形態では、アナログ通信端末１０１とＩＰ通信端末１０７との通信中に、接続障害が生じた場合であっても、通信が終了するまでは再起動を行わず、利用者の利便性を図ることが可能になるといえる。
【０１１３】
ステップＳ８４０において、利用者がアナログ通信端末１０１にてビジートーンを聴取すると、ＩＰ通信端末１０７との通信が終了している旨を把握することが可能になる。
【０１１４】
これにより、本実施形態では、アナログ通信端末１０１とＩＰ通信端末１０７との通信中に、中継装置１１０に接続障害が生じた場合であっても、ＩＰ通信端末１０７にてオンフックされた旨をアナログ通信端末１０１にて把握することが可能になる。
【０１１５】
よって、本実施形態によれば、各通信端末にて通信の終了操作が行われた場合における切断処理に関し、より確実に切断処理を行うことが可能になり、切断処理を改善することができる。
【０１１６】
なお、本実施形態によれば、通信中に、中継装置１１０に接続障害が生じた場合であっても、ＩＰ通信端末１０７にてオンフックされた旨をアナログ公衆網１０３にて把握することが可能になるため、通信料金の課金を停止することが可能になる。したがって、本実施形態では、利用者への通信料金の過度の要求を抑制することができる。
【０１１７】
（回線交換システムの他例）
図１１を用いて、回線交換システムの他例を説明する。図１１は、本実施形態（第２の実施形態）の回線交換システムの他例を示すシーケンスである。なお、図１１では、アナログ通信端末１０１とＩＰ通信端末１０７との通信している際に、アナログ通信端末１０１にて先にオンフックした場合を例示している。
【０１１８】
また、本実施形態では、上述したように、アナログ通信端末１０１とＩＰ通信端末１０７との通信中に、中継装置１１０に接続障害が生じた場合における各処理を主たる特徴にしている。
【０１１９】
そして、アナログ通信端末１０１とＩＰ通信端末１０７との通信が行われるまでは、周知であり、上述したため、詳細な説明を省略し、アナログ通信端末１０１とＩＰ通信端末１０７との間で通信が行われている状態から説明する。
【０１２０】
ステップＳ９１０において、アナログ通信端末１０１が先にオンフックした場合、アナログ通信端末１０１にてアナログ公衆網１０３に切断信号を送信する。そして、アナログ公衆網１０３は、アナログ通信端末１０１から切断信号を受信すると、ビジートーン信号を送出し、中継装置１１０にビジートーン信号を送信する。
【０１２１】
ステップＳ９２０において、中継装置１１０は、上記ステップＳ９１０にて送信された切断信号を検出すると、アナログ通信端末１０１とＩＰ通信端末１０７との通信を終了していると扱う。そして、中継装置１１０は、ＩＰ通信端末１０７にビジートーン信号を送出する。
【０１２２】
ステップＳ９３０において、中継装置１１０は、ＩＰ通信端末１０７に切断信号を送信した後に、再起動を行う。ここで、中継装置１１０は、接続障害が生じた際に、即座に再起動を行うと、再起動に要する間、利用者へのサービス提供を停止させてしまう可能性がある。
【０１２３】
これに対し、本実施形態では、アナログ通信端末１０１とＩＰ通信端末１０７との通信中に、接続障害が生じた場合であっても、通信が終了するまでは再起動を行わず、利用者の利便性を図ることが可能になるといえる。
【０１２４】
ステップＳ９４０において、利用者がＩＰ通信端末１０７にてビジートーンを聴取すると、アナログ通信端末１０１との通信が終了している旨を把握することが可能になる。
【０１２５】
このように、本実施形態では、先にアナログ通信端末１０１がオンフックした場合であっても、ＩＰ通信端末１０７にてアナログ通信端末１０１との通信の終了を把握することが可能になる。
【０１２６】
よって、本実施形態によれば、各通信端末にて通信の終了操作が行われた場合における切断処理に関し、より確実に切断処理を行うことが可能になり、切断処理を改善することができる。
【符号の説明】
【０１２７】
１０１    アナログ通信端末
１０２    アナログ局線
１０３    アナログ公衆網
１０４    ＬＡＮ回線
１０５    ＨＵＢ
１０６    テレフォニーサーバ
１０７    ＩＰ通信端末
１１０    中継装置
１２０    制御部
１３０    記憶部
【図１】
2015226141.tif 000003
【図２】
2015226141.tif 000004
【図３】
2015226141.tif 000005
【図４】
2015226141.tif 000006
【図５】
2015226141.tif 000007
【図６】
2015226141.tif 000008
【図７】
2015226141.tif 000009
【図８】
2015226141.tif 000010
【図９】
2015226141.tif 000011
【図１０】
2015226141.tif 000012
【図１１】
2015226141.tif 000013